(57)【要約】【課題】例えばビルなどの屋上緑化に使用される屋上緑化構造に係り、その緑化構造を構成する部材のアルカリ度を植物の生育に適した程度に低下させるとともに、植物の根の定着性を向上させ、さらには排水性・保水性・通気性に優れた屋上緑化構造を提供する。【解決手段】本発明による屋上緑化構造は、炭酸化したＡＬＣ破砕物からなる粒状体４を植栽土壌５の下に敷き詰めたことを特徴とする。上記のＡＬＣ破砕物は、炭酸化度を３０％以上にすることによりアルカリ度を低下させたものを用いるのが好ましい。また上記粒状体間に土壌と根を入り込ませて植物を定着させると共に、植栽に応じた最適な排水性・保水性・通気性を得るために、ＡＬＣ破砕物の粒径と層厚を適宜調整することが好ましい。【選択図】  図１
2005323541.tif 000002
【特許請求の範囲】
【請求項１】
炭酸化したＡＬＣ破砕物からなる粒状体を植栽土壌の下に敷き詰めたことを特徴とする屋上緑化構造。
【請求項２】
上記ＡＬＣ破砕物の炭酸化度は３０％以上であることを特徴とする請求項１に記載の屋上緑化構造。
【発明の詳細な説明】
【技術分野】
【０００１】
本発明は、例えばビルなどの屋上緑化に使用される屋上緑化構造に関する。
【背景技術】
【０００２】
近年、大都市圏では、緑被率の増大やヒートアイランド現象の抑制、さらには屋根の断熱性を高めて省エネ効果を図ることを目的として、ビルの屋上を緑化する技術が種々提案されている。
【０００３】
それらの屋上緑化技術の中で、植栽用土壌には軽量化が求められるため、天然や人工の軽量骨材が使用される。一例として、建物の新築もしくは解体時の廃材リサイクルのために、ＡＬＣパネルを破砕した物を軽量土壌として利用する技術があるが、ＡＬＣ破砕物はアルカリ度が高すぎて植物の生育に適さないため、中性化やコーティングなどの処理が必要なことに加えて、土壌中にＡＬＣ破砕物を分散させたものでは植物の根の定着性が悪いため、風の強い屋上では背の高い植物は植えられないという問題点があった。
【０００４】
一方、根の安定化のために、ポーラスコンクリートを植栽基盤に用い隙間に土壌を充填して根を張らせるという技術もあるが、通常のポーラスコンクリートはＡＬＣよりもさらにアルカリ度が高いことと、軽量化が難しいという問題点があった。
【０００５】
また、土壌中に水が溜まると根腐れを起こすため、通常は砂利・砂・軽石・パーライトなどを土壌の下に敷いて排水層を作るが、これらの材料は保水性が低いために土壌が乾燥しやすくなり、頻繁に潅水しなければならないという問題点があった。
【０００６】
それらの問題点に対して、下記特許文献１においては、ＡＬＣ板を植栽土壌の下に基盤として敷くことで、低アルカリ度、根の定着性、排水性と保水性に効果があることが示されている。しかしながら、ＰＨは１０程度であるので植物の生育にとってはまだアルカリが強すぎること、貫通孔と上面の条溝だけでは根掛かりが不十分なために根の定着性が悪いこと、及び貫通孔以外の根の部分の通気性が不十分であることがわかった。
【０００７】
【特許文献１】特開２００３−２０４７１７号公報
【発明の開示】
【発明が解決しようとする課題】
【０００８】
本発明は上記の問題点に鑑みて提案されたもので、その目的とするところは、アルカリ度を植物の生育に適した程度に低下させるとともに、植物の根の定着性を向上させ、さらには排水性・保水性・通気性に優れた屋上緑化構造を提供することにある。
【課題を解決するための手段】
【０００９】
上記の目的を達成するために、本発明による屋上緑化構造は、炭酸化したＡＬＣ破砕物からなる粒状体を植栽土壌の下に敷き詰めたことを特徴とする。上記のＡＬＣ破砕物は、炭酸化度を３０％以上にすることによりアルカリ度を低下させたものを用いるのが好ましい。また、粒の間に土壌と根を入り込ませて植物を定着させるとともに、植栽に応じた最適な排水性・保水性・通気性を得るために、ＡＬＣ破砕物の粒径と層厚を適宜調整することが好ましい。
【発明の効果】
【００１０】
本発明によれば、アルカリ度を植物の生育に適した程度に低下させるとともに、植物の根の定着性を向上させ、さらには排水性・保水性・通気性に優れた屋上緑化構造を提供することが可能となる。
【発明を実施するための最良の形態】
【００１１】
以下、本発明を図に示す実施形態に基づいて具体的に説明する。図１は本発明による屋上緑化構造の一実施形態を示す縦断面図である。
【００１２】
図において、１はビル等の屋上部分を構成するコンクリートスラブであり、そのコンクリートスラブ１の表面（上面）には、防水層２と防根層３とが順に積層されている。その防水層２としては、例えばアスファルト防水・シート防水・塗膜防水等を用いることができる。また防根層３は、屋上緑化用として一般的なものでよく、例えばポリエチレン・ポリエステル・塩化ビニル製のシートなどが使用できる。
【００１３】
上記の防根層３の上にＡＬＣ破砕物からなる粒状体４と植栽土壌５とが、それぞれ層状に順に設けられ、その植栽土壌５に植物Ｐが植設されている。その植栽土壌５としては、一般的なものでよく、天然・人工軽量骨材、堆肥、土壌、土壌改良材などを適量混合したものなどが使用できる。その植栽土壌５の一部は隣接する粒状体４・４間に入り込み、植物Ｐの根Ｐａの先端も粒状体４・４間に伸びて定着化する。なお上記粒状体４の上には、必要に応じて合成繊維製の網等を敷設して上記粒状体４が植栽土壌３側に浮き上がるのを防止するようにしてもよく、上記の網等は土壌と根が入り込むだけの隙間を有するものであれば材質等は適宜である。
【００１４】
上記粒状体４を構成するＡＬＣ破砕物は、炭酸化度が３０%以上のものが望ましい。炭酸化度が３０％以上になるとＡＬＣ破砕物のＰＨは９．３以下となり、植物が生育可能な値になるからである。なお、上記ＰＨの測定方法は、ＡＬＣ破砕物１ｇに２５℃の蒸留水１００ｇを加え、３分間攪拌した後にＰＨメーターで測定したものである。また、例えば根の部分でＰＨが９．３以下のアルカリ度というのは、植物にとっては必ずしも良好な生育条件とは言えないが、ＡＬＣ粉砕物の間に入り込んだ根の部分は植物の定着性に役立てばよく、植物の生育のためには土壌中の根の部分が十分に機能するので、生育に対する問題はない。
【００１５】
また上記の炭酸化度とは、本出願人が先に提案した特開２００３−３５６５７号公報で定義した下記（１）式に基づいたＡＬＣ炭酸化進行の尺度である。すなわち、測定される全酸化カルシウム含有量（質量％）をＡとし、６００〜９００℃における重量減少量に相当する炭酸ガス含有量（質量％）をＢとすると、炭酸化度ｙ（％）は、
ｙ＝｛（Ｂ×５６／４４）／Ａ｝×１００・・・・（１）
なる式で与えられる。
【００１６】
ＡＬＣを炭酸化させる方法には、密閉した室内にＡＬＣを置いて炭酸ガスを吹き込む方法やバークなどと混合して堆肥化させるときに同時に炭酸化させる方法などあるが、建築物として長年使われたＡＬＣパネルは炭酸化が進行しているので、解体工事で発生するＡＬＣパネルの廃材を粉砕して使用することも可能であり、これによりＡＬＣの再利用やリサイクルの推進にも寄与することができる。
【００１７】
ＡＬＣ破砕物よりなる粒状体４の粒径は、好ましくは５〜３０ｍｍの範囲内とするのが望ましい。５ｍｍ未満では目詰まりを起こし、排水性能が悪化する。また３０ｍｍを超えると緑化構造が厚くなりすぎるからである。５〜３０ｍｍの粒径の分布と粒状体４の層厚を適宜調整することにより、植栽する植物に適した排水性・保水性・通気性を任意に制御することができるとともに、粒間に土壌を入り込ませて根を張らせることができる。
【００１８】
上記のように本発明による屋上緑化構造は、植栽土壌５の下に、炭酸化したＡＬＣ破砕物からなる粒状体４を敷き詰めることによって、アルカリ度が植物の生育に適した程度に低下した粒状体４・４間に植栽土壌５の一部が入り込むと同時に、植物Ｐの根Ｐａの先端も粒状体４・４間に伸びて根掛かりが得られ、良好に定着化することができる。また上記のＡＬＣ破砕物からなる粒状体４によって、排水性・保水性・通気性に優れた屋上緑化構造が得られるものである。
【産業上の利用可能性】
【００１９】
以上のように本発明によれば、アルカリ度を植物の生育に適した程度に低下させると共に、植物の根の定着性を向上させ、さらには排水性・保水性・通気性に優れた屋上緑化構造を提供することができる。従って、本発明による屋上緑化構造に植える植物としては、一般的なセダム類、芝、ハーブ、クローバーなどの草花だけでなく、サツキやツツジなどの低木も、上記のように根掛かりが改善されているので定着性よく植栽できるものである。
【図面の簡単な説明】
【００２０】
【図１】本発明による屋上緑化構造の一実施形態を示す縦断面図。
【符号の説明】
【００２１】
１  屋上コンクリートスラブ
２  防水層
３  防根層
４  粒状体
５  植栽土壌
Ｐ  植物
Ｐａ  根
【図１】
2005323541.tif 000003